【手続補正書】
【提出日】平成17年8月18日(2005.8.18)
【手続補正１】
【補正対象書類名】明細書
【補正対象項目名】特許請求の範囲
【補正方法】変更
【補正の内容】
【特許請求の範囲】
【請求項１】
ａ）ある直径を有し、針のハブに取り付けられた近位端、遠位端、及び前記近位端と前記遠位端との間に配置された拡径部分を有する針と、
ｂ）近位端及び遠位端を有すると共に、案内針が同軸的に受けられる管状カテーテルと、
ｃ）前記カテーテルの前記近位端に取り付けられ、前記カテーテルに流体連通する遠位端を有し、隆起した環状リブを含む内部を備えた中空カテーテルハブと、
ｄ）前記カテーテルハブ内に配置された近位端及び遠位端を有する針先端プロテクタと、を有し、前記近位端は、前記プロテクタを前記ハブ内に保持するように前記環状リブに対して遠位位置に配置された半径方向に延びる拘束されない少なくとも１つのリップ部分を有し、前記プロテクタの前記遠位端は、前記ハブの前記内部に当接せず、前記プロテクタは、前記近位端に近位開口を備え、前記近位開口は、前記針の直径の寸法より大きく、前記針が前記カテーテルから取り除かれるときに、前記プロテクタが前記針に取り付けられたままになるように、前記拡径領域より小さい拘束されない寸法を有するカテーテル及び案内針組立体。
【請求項２】
前記針の前記拡径領域は、前記針の直径より０．００２５ｍｍ乃至０．１０２ｍｍ（０．０００１インチ乃至０．００４インチ）大きい請求項１に記載のカテーテル及び案内針組立体。
【請求項３】
前記環状リブの前記内径は、前記針先端プロテクタの前記リップ部分を横切る距離より０．０２５ｍｍ乃至０．２３ｍｍ（０．００１インチ乃至０．００９インチ）小さい請求項１に記載のカテーテル及び案内針組立体。
【請求項４】
前記針先端プロテクタの前記遠位端は、前記針に当接するように偏倚されている請求項１に記載のカテーテル及び案内針組立体。
【請求項５】
前記リップ部分は、ほぼ弧状の外縁を有する請求項１に記載のカテーテル及び案内針組立体。
【請求項６】
ａ）ある直径を有し、針のハブに取り付けられた近位端、遠位端、及び前記近位端と前記遠位端との間に配置された拡径部分を有する針と、
ｂ）近位端及び遠位端を有すると共に、案内針が同軸的に受けられる管状カテーテルと、
ｃ）前記カテーテルの前記近位端に取り付けられ、前記カテーテルに流体連通する遠位端を有し、隆起した環状リブを含む内部を備えた中空カテーテルハブと、
ｄ）前記カテーテルハブ内に配置された近位端及び遠位端を有する針先端プロテクタと、を有し、前記近位端は、前記プロテクタを前記ハブ内に保持するように前記環状リブに対して遠位位置に配置された半径方向に延びる拘束されない少なくとも１つのリップ部分を有し、前記プロテクタの前記遠位端は、前記ハブの前記内部に当接せず、前記プロテクタは、前記近位端に近位開口を備え、前記近位開口は、前記針の直径の寸法より大きく、前記針が前記カテーテルから取り除かれるときに、前記プロテクタが前記針に取り付けられたままになるように、前記拡径領域より小さい拘束されない寸法を有し、前記プロテクタは、外壁、第１のタブフランジ及び第２のタブフランジを有し、前記第１のタブフランジは、９０°より大きな角度で前記外壁に取り付けられており、前記第２のタブフランジは、９０°より大きい角度で前記第１のタブフランジの反対側で前記外壁に取り付けられているカテーテル及び案内針組立体。
【請求項７】
前記針の前記拡径領域は、前記針の直径より０．００２５ｍｍ乃至０．１０２ｍｍ（０．０００１インチ乃至０．００４インチ）大きい請求項６に記載のカテーテル及び案内針組立体。
【請求項８】
前記環状リブの前記内径は、前記針先端プロテクタの前記リップ部分を横切る距離より０．０２５ｍｍ乃至０．２３ｍｍ（０．００１インチ乃至０．００９インチ）小さい請求項６に記載のカテーテル及び案内針組立体。
【請求項９】
前記針先端プロテクタの前記遠位端は、前記針に当接するように偏倚されている請求項６に記載のカテーテル及び案内針組立体。
【請求項１０】
前記リップ部分は、ほぼ弧状の外縁を有する請求項６に記載のカテーテル及び案内針組立体。
【請求項１１】
前記外壁と前記第１のタブフランジとの間の前記角度は、９４．２５°である請求項６に記載のカテーテル及び案内針組立体。
【請求項１２】
前記外壁と前記第２のタブフランジとの間の前記角度は、９４．２５°である請求項６に記載のカテーテル及び案内針組立体。
【請求項１３】
近位端、遠位端、及びこれらの間に延びる針受け空間と、針のシャフトを通し前記針受け空間内に前記針を受け入れる寸法を有する、前記近位端の近位開口と、前記針受け空間の各々の側に向かって交差するように前記近位端から前記遠位端方向に延びる第１及び第２のアームであって、前記第１及び第２のアームが第１の位置にある状態で前記針シャフトを前記アーム間に通すように形成された遠位端部として各々が終端処理され、少なくとも一方の前記遠位端部が前記第１及び第２のアームの第２の位置で前記針の先端を阻止する前記第１及び第２のアームと、前記遠位端部に隣接して前記第１のアームに支持され、前記針受け空間の前記第１及び第２の側の隣接する一方を延ばすようにした第１のウイングとを備えた、針の先端を保護する針先端プロテクタ。
【請求項１４】
前記遠位端部に隣接して前記第２のアームに支持され、前記針受け空間の前記第１及び第２の側の隣接する他方を延ばすようにした第２のウイングをさらに備えた請求項１３に記載の針先端プロテクタ。
【請求項１５】
前記第２のウイングは前記針受け空間の前記第１の側に配置されている請求項１４に記載の針先端プロテクタ。
【請求項１６】
前記第１のウイングは前記針受け空間の前記第２の側に配置されている請求項１５に記載の針先端プロテクタ。
【請求項１７】
前記第１及び第２のアームは各々が中間狭窄部を備え、前記針シャフトが前記交差する第１及び第２のアームの間を通過する請求項１３に記載の針先端プロテクタ。
【請求項１８】
前記第１及び第２のアームは、前記第１及び第２のアームの遠位端部の間から前記針先端が通るまで、前記針先端が前記第１の位置で前記アームを保持するように、前記針シャフトが前記遠位端部において外側半径方向の力をかける弾性材料から形成されている請求項１３に記載の針先端プロテクタ。
【請求項１９】
前記第１及び第２のアームの遠位端部が互いに重なり合っている請求項１３に記載の針先端プロテクタ。
【請求項２０】
前記遠位端部が各々湾曲したリップを備えた請求項１３に記載の針先端プロテクタ。
【請求項２１】
前記湾曲したリップは、前記第１及び第２のアームの第１の位置で前記針シャフトを噛んでいる請求項２０に記載の針先端プロテクタ。
【請求項２２】
少なくとも一方の湾曲したリップは、前記第１及び第２のアームの第２の位置で前記針先端と対向している請求項２１に記載の針先端プロテクタ。
【請求項２３】
少なくとも一方の湾曲したリップは、前記第１及び第２のアームの第２の位置で前記針先端と対向している請求項２０に記載の針先端プロテクタ。
【請求項２４】
前記針受け空間と同軸の開口部から遠位方向に延びるスカートをさらに備えた請求項１３に記載の針先端プロテクタ。
【請求項２５】
前記針先端プロテクタの近位端は、第１の近位端壁と、重なり合う第２の近位端壁を含む請求項１３に記載の針先端プロテクタ。
【請求項２６】
前記各々の末端壁は貫通穴を備え、前記第１のアームは前記第１の末端壁から延び、前記第２のアームは前記第２の末端壁から延びている請求項２５に記載の針先端プロテクタ。
【請求項２７】
一体型の金属である請求項１３に記載の針先端プロテクタ。
【請求項２８】
ａ）カテーテルハブと、前記カテーテルハブから延びる管状カテーテルとを備えたカテーテル部と、
ｂ）針のハブと、先端を有し前記針のハブから延びる針シャフトを備えた針部と、
ｃ）針シャフトに配置される針先端プロテクタであって、前記針先端プロテクタは近位端、遠位端、及びこれらの間に配置され前記針シャフトが貫通する針受け空間と、針のシャフトを通し前記針受け空間内に前記針を受け入れる、前記近位端の近位開口と、前記針受け空間の各々の側に向かって交差するように前記近位端から前記遠位端方向に延びる第１及び第２のアームであって、前記第１及び第２のアームが第１の位置にある状態で前記針シャフトを前記アーム間に通すように形成された遠位端部として各々が終端処理され、少なくとも一方の前記遠位端部が前記第１及び第２のアームが第２の位置にある状態で前記針先端を阻止する前記第１及び第２のアームと、前記遠位端部に隣接して前記第１のアームに支持され、前記針受け空間の前記第１及び第２の側の隣接する一方を延ばすようにした第１のウイングを有する、針の先端を保護する針先端プロテクタとを備え、
前記針は、前記第１及び第２のアームが前記第１の位置にある状態で前記管状カテーテル内に配置され、前記針先端が前記管状カテーテルより長く延び、前記第１及び第２のアームは、前記管状カテーテルから前記針を抜いた後に第２の位置にあり、前記針先端は、前記針先端プロテクタ内に配置されるように前記第１及び第２のアームの遠位端の間から通過する、カテーテルと案内針組立体。
【請求項２９】
前記針先端プロテクタは前記第１及び第２のアームの前記第１の位置で前記カテーテルハブ内に配置される請求項２８に記載のカテーテルと案内針組立体。
【請求項３０】
前記針を前記管状カテーテルから抜く時、前記針シャフトの拡径領域が前記遠位端の前記開口に引っかかり、前記針先端は前記針先端プロテクタ内に配置されるように前記第１及び第２のアームの前記遠位端の間から通過する請求項２８に記載のカテーテルと案内針組立体。
【請求項３１】
前記針先端プロテクタは、前記遠位端部に隣接して前記第２のアームに支持され、前記針受け空間の前記第１及び第２の側の隣接する他方を延ばすようにした第２のウイングをさらに備えた請求項２８に記載のカテーテルと案内針組立体。
【請求項３２】
前記第２のウイングは前記針受け空間の前記第１の側に配置されている請求項３１に記載のカテーテルと案内針組立体。
【請求項３３】
前記第１のウイングは前記針受け空間の前記第２の側に配置されている請求項３２に記載のカテーテルと案内針組立体。
【請求項３４】
前記第１及び第２のアームは各々が中間狭窄部を備え、前記針シャフトが前記交差する第１及び第２のアームの間を通過する請求項２８に記載のカテーテルと案内針組立体。
【請求項３５】
前記第１及び第２のアームは、前記第１及び第２のアームの遠位端部の間から前記針先端が通るまで、前記針先端が前記第１の位置で前記アームを保持するように、前記針シャフトが前記遠位端部において外側半径方向の力をかける弾性材料から形成されている請求項２８に記載のカテーテルと案内針組立体。
【請求項３６】
前記第１及び第２のアームの遠位端部が互いに重なり合っている請求項２８に記載のカテーテルと案内針組立体。
【請求項３７】
前記遠位端部が各々湾曲したリップを備えた請求項２８に記載のカテーテルと案内針組立体。
【請求項３８】
前記湾曲したリップは、前記第１及び第２のアームの第１の位置で前記針シャフトを噛んでいる請求項３７に記載のカテーテルと案内針組立体。
【請求項３９】
少なくとも一方の湾曲したリップは、前記第１及び第２のアームの第２の位置で前記針先端と対向している請求項３８に記載のカテーテルと案内針組立体。
【請求項４０】
少なくとも一方の湾曲したリップは、前記第１及び第２のアームの第２の位置で前記針先端と対向している請求項３７に記載のカテーテルと案内針組立体。
【請求項４１】
前記針先端プロテクタは前記針受け空間と同軸の開口部から遠位方向に延びるスカートをさらに備えた請求項２８に記載のカテーテルと案内針組立体。
【請求項４２】
前記針先端プロテクタの近位端は、第１の近位端壁と、重なり合う第２の近位端壁を含む請求項２８に記載のカテーテルと案内針組立体。
【請求項４３】
前記各々の末端壁は貫通穴を備え、前記第１のアームは前記第１の末端壁から延び、前記第２のアームは前記第２の末端壁から延びている請求項４２に記載のカテーテルと案内針組立体。
【請求項４４】
前記針先端プロテクタは一体型の金属である請求項２８に記載のカテーテルと案内針組立体。
【請求項４５】
近位端、遠位端、及びこれらの間に延びる針受け空間と、針のシャフトを通し前記針受け空間内に前記針を受け入れる寸法を有する、前記近位端の近位開口と、前記針受け空間の各々の側に向かって交差するように前記近位端から前記遠位端方向に延びる第１及び第２のアームであって、前記第１及び第２のアームが第１の位置にある状態で前記針シャフトを前記アーム間に通すように形成された遠位端部として各々が終端処理され、少なくとも一方の前記遠位端部が前記第１及び第２のアームが第２の位置にある状態で前記針の先端を阻止する前記第１及び第２のアームと、前記針受け空間と同軸の開口部から遠位方向に延びるスカートとを備えた、針の先端を保護する針先端プロテクタ。
【請求項４６】
前記第１及び第２のアームは各々が中間狭窄部を備え、前記針シャフトが前記交差する第１及び第２のアームの間を通過する請求項４５に記載の針先端プロテクタ。
【請求項４７】
前記第１及び第２のアームは、前記第１及び第２のアームの遠位端部の間から前記針先端が通るまで、前記針先端が前記第１の位置で前記アームを保持するように、前記針シャフトが前記遠位端部において外側半径方向の力をかける弾性材料から形成されている請求項４５に記載の針先端プロテクタ。
【請求項４８】
前記第１及び第２のアームの遠位端部が互いに重なり合っている請求項４５に記載の針先端プロテクタ。
【請求項４９】
前記遠位端部が各々湾曲したリップを備えた請求項４５に記載の針先端プロテクタ。
【請求項５０】
前記湾曲したリップは、前記第１及び第２のアームの第１の位置で前記針シャフトを噛んでいる請求項４９に記載の針先端プロテクタ。
【請求項５１】
少なくとも一方の湾曲したリップは、前記第１及び第２のアームの第２の位置で前記針先端と対向している請求項５０に記載の針先端プロテクタ。
【請求項５２】
少なくとも一方の湾曲したリップは、前記第１及び第２のアームの第２の位置で前記針先端と対向している請求項４９に記載の針先端プロテクタ。
【請求項５３】
針シャフト及び針のハブを有する針と、カテーテルハブと前記カテーテルハブから延びるカテーテルとの組合わせにおいて、針先端プロテクタは前記針シャフトに配置され、前記針は前記第１および第２のアームが第１の位置にある状態で前記カテーテル内に配置され、前記針の先端は前記カテーテルより長く延び、前記第１及び第２のアームは、前記カテーテルから前記針を抜いた後に第２の位置にあり、前記針先端が前記針先端プロテクタ内に配置されるように前記第１及び第２のアームの遠位端の間から通過する、請求項４５に記載の針先端プロテクタ。
【請求項５４】
前記針先端プロテクタは、前記第１及び第２のアームが第１の位置の状態で前記カテーテルハブ内にある請求項５３に記載の針先端プロテクタ。
【請求項５５】
前記組み合わせにおいて、前記針を前記カテーテルから抜く時、前記針シャフトの拡径領域が前記遠位端の前記開口に引っかかり、前記針先端は前記針先端プロテクタ内に配置されるように前記第１及び第２のアームの前記遠位端の間から通過する請求項５３に記載の針先端プロテクタ。
【請求項５６】
前記針先端プロテクタの近位端は、第１の近位端壁と、重なり合う第２の近位端壁を含む請求項４５に記載の針先端プロテクタ。
【請求項５７】
前記各々の末端壁は貫通穴を備え、前記第１のアームは前記第１の末端壁から延び、前記第２のアームは前記第２の末端壁から延びている請求項５６に記載の針先端プロテクタ。
【請求項５８】
一体型の金属である請求項４５に記載の針先端プロテクタ。